(57)【要約】【課題】カウンター支持機能に加えて、洗面、化粧等に用いる小物類を収納する収納機能も備えたカウンター固定金具を提供する。【解決手段】カウンターCを支持、固定する金具Aであって、該金具Aは、カウンター支持部１１とこのカウンター支持部１１に略直角に連接される壁面固定部２とからなり、断面略コの字型の上記カウンター支持部１は、カウンターCを固定するベース部１１とこのベース部１１の両端縁に垂設されるとともに、下端部に内向きの係合片１２１を延設したレール部１２とからなり、上記レール部１２には収納ボックスBがスライド自在に吊設可能とされる。【選択図】図２
2006055555.tif 000002
【特許請求の範囲】
【請求項１】
カウンターを支持、固定する金具であって、該金具は、カウンター支持部とこのカウンター支持部に略直角に連接される壁面固定部とからなり、断面略コの字型の上記カウンター支持部は、カウンターを固定するベース部とこのベース部の両端に垂設されるとともに、下端部に内向きの係合片を延設したレール部とからなり、上記レール部には収納ボックスがスライド自在に吊設可能とされたカウンター固定金具。
【請求項２】
上記収納ボックスが、収納部とこの収納部の前面をカバーする化粧部とからなり、上記収納部の両側の上端縁に沿ってスライド部が側方に凸設された請求項１に記載のカウンター固定金具。
【請求項３】
上記カウンターが下方を開放して壁面に取り付けられるオープンタイプの洗面カウンターである請求項１に記載のカウンター固定金具。
【発明の詳細な説明】
【技術分野】
【０００１】
本発明は、洗面カウンター等のカウンターを支持、固定する金具に関する。さらに詳しくは、上記支持機能に加えて収納機能も備えた固定金具の構造に関する。
【背景技術】
【０００２】
従来、洗面カウンター、とくに下方が開放されたオープンタイプの洗面カウンターを支持、固定するための固定金具については、種々の技術が公知であり、例えば、下記特許文献には、陶器製の重いカウンターを位置調整可能に支持するための金具が提案されている。
【特許文献１】実公平７−４７４８０号公報（第１〜３頁、第１、３図）
【発明の開示】
【発明が解決しようとする課題】
【０００３】
上記技術における金具は、単に洗面カウンターを位置調整可能に支持、固定するための機能を有しているものであるが、本発明は、上記カウンター支持機能に加えて、洗面、化粧等に用いる小物類を収納する収納機能も備えたカウンター固定金具を提供することをその課題とする。
【課題を解決するための手段】
【０００４】
上記課題を解決するために、本発明においてはつぎのような技術的手段を講じている。すなわち、本発明によれば、カウンターを支持、固定する金具であって、該金具は、カウンター支持部とこのカウンター支持部に略直角に連接される壁面固定部とからなり、断面コの字型の上記カウンター支持部は、カウンターを固定するベース部とこのベース部の両端縁に垂設されるとともに、下端部に内向きの係合片を延設したレール部とからなり、上記レール部には収納ボックスがスライド自在に吊設可能とされたカウンター固定金具が提供される。
【０００５】
上記収納ボックスが、収納部とこの収納部の前面をカバーする化粧部とからなり、上記収納部の上端縁に沿ってスライド部が側方に凸設されることが好ましい。上記カウンターとしては、とくに限定されるものではないが、カウンターの下方が開放され、かつ、壁面に取り付けられるオープンタイプの洗面カウンターに好ましく適用される。
【発明の効果】
【０００６】
請求項１に記載の発明は上記のとおりであり、カウンター固定金具の構成部分であるカウンター支持部が収納ボックスをスライド自在に吊設するため、通常は収めた状態とされ、必要時に、上記収納ボックスを簡単に引き出すことができる。
【０００７】
上記収納ボックスが、収納部とこの収納部の前面をカバーする化粧部とからなるとともに、上記収納部の両側の上端縁に沿ってスライド部が側方に凸設されているため、このスライド部がレール部に内嵌し、レール部の下端部に内向きに対向して設けられた係合片にスライド自在に支持され、また、化粧部が収納部の前面をデザイン性よくカバーする。
【０００８】
上記カウンターは、下方を開放して壁面に取り付けられるオープンタイプの洗面カウンターに、とくに好ましく適用され、洗面、化粧等に用いる小物類を収納する収納スペースを増やすことができる。
【発明を実施するための最良の形態】
【０００９】
以下、本発明の実施形態について図面を参照して、詳細に説明する。図１は、本発明にかかる一対のカウンター固定金具Ａを用い、オープンタイプの洗面カウンターＣを支持する状態を示す説明図である。図１において、上記固定金具Ａは、カウンターＣを支持するカウンター支持部１とこのカウンター支持部１に略直角に連接される壁面固定部２とからなり、壁面固定部２には壁面にビスで固定するためのビス孔２１が穿設されている。上記断面略コの字型のカウンター支持部１は、カウンターＣを支持、固定するベース部１１とこのベース部１１の両端縁に垂設されたレール部１２とからなり、このレール部１２の下端部には、後記収納ボックスを吊設するための係合片１２１が相互に内向きに対向して延設されている。上記ベース部１１には、図示しないがカウンターを支持しビスで固定するためのビス孔１１１が穿設されている。
【００１０】
図２は、上記カウンター固定金具Ａに、収納ボックスＢをスライド自在に吊設する状態を示す説明図である。図２からよくわかるように、収納ボックスＢは、収納部３と化粧部４とからなり、収納部３の上端縁に沿って上記係合片１２１とスライド自在に係合するスライド部３１が側方に凸設され、このスライド部３１を矢印に示すようにレール部１２に内嵌する。このようにすることによって、収納ボックスＢは、図３の側断面図に示すようにレール部１２の下端部に内向きに対向して設けられた係合片１２１にスライド自在に支持される。
【００１１】
図４は、オープンタイプの洗面カウンターＣに、本発明にかかるカウンター固定金具Ａを取り付けて壁面Ｗに固定し、収納ボックスＢを吊設した状態を示す斜視図である。図４から、正面に化粧部４が位置し、デザイン性よく収納ボックスＢが取り付けられるとともに、小物類の収納スペースを増やすことできることが明らかである。なお、本実施形態はオープンタイプの洗面カウンターＣに、カウンター固定金具Ａを用いた場合について述べたが、もちろん、上記洗面カウンターCのみならず、他のカウンターにも適用可能である。
【図面の簡単な説明】
【００１２】
【図１】本発明にかかるカウンター固定金具によって洗面カウンターを支持する状態を示す説明図である。
【図２】上記カウンター固定金具に収納ボックスをスライド自在に吊設する状態を示す説明図である。
【図３】上記カウンター固定金具によって収納ボックスをスライド自在に吊設した状態を示す側断面図である
【図４】上記カウンター固定金具によりカウンターを支持、固定するとともに、収納ボックスを吊設した状態を示す斜視図である。
【符号の説明】
【００１３】
Ａ          本発明にかかるカウンター固定金具
１          カウンター支持部
１１        ベース部
１１１      ビス固定用ビス孔
１２        レール部
１２１      係合片
２          壁面固定部
２１        ビス固定用ビス孔
B          本発明にかかる収納ボックス
３          収納部
３１        スライド部
４          化粧部
C          オープンタイプの洗面カウンター
W          壁面
【図１】
2006055555.tif 000003
【図２】
2006055555.tif 000004
【図３】
2006055555.tif 000005
【図４】
2006055555.tif 000006